(57)【要約】【課題】  遊技機の可変入賞装置において、開閉扉の開状態から閉状態への変換時あるいは閉状態から開状態への変換時の開閉扉による開口上縁やガラス板との間の遊技球の挟み込みを即座に解除可能とする。【解決手段】  開閉扉１３を主開閉扉１４と副開閉扉１５とに分割して構成し、開状態から閉状態への変換時および閉状態から開状態への変換時に主開閉扉１４より遅れて副開閉扉１５を変換させることにより、開閉扉１３の開状態から閉状態への変換時の主開閉扉１４と開口１２上縁との間の遊技球の挟み込みが副開閉扉１５の棒２４によって解除され、閉状態から開状態への変換時の主開閉扉１４とガラス板との間の挟み込みが副開閉扉１５の棒２４によって解除されるようにする。【選択図】        図５
2006020857.tif 000002
【特許請求の範囲】
【請求項１】
遊技盤面に臨む配置で遊技球の落下流入を入賞の契機とする開口を備え、該開口を開閉扉により開閉可能とする遊技機の可変入賞装置において、上記開閉扉を、第１の駆動手段により上下に回動可能で起立して上記開口の大半部分を閉じる閉状態と前倒して遊技球を受け止め開口内部に案内する開状態とに変換可能な主開閉扉と、第２の駆動手段により上下に回動可能で起立して少なくとも上記主開閉扉の上縁の回動軌跡の外側で上記開口を閉じる閉状態と前倒して上記開口を開く開状態とに変換可能な副開閉扉とに分割して構成し、上記主開閉扉と上記副開閉扉とで閉状態から開状態への変換のタイミングまたは開状態から閉状態への変換のタイミングをずらすことを特徴とする遊技機の可変入賞装置。
【請求項２】
遊技盤面に臨む配置で遊技球の落下流入を入賞の契機とする開口を備え、該開口を開閉扉により開閉可能とする遊技機の可変入賞装置において、上記開閉扉を、第１の駆動手段により上下に回動可能で起立して上記開口の大半部分を閉じる閉状態と前倒して遊技球を受け止め開口内部に案内する開状態とに変換可能な主開閉扉と、第２の駆動手段により上下に回動可能で起立して少なくとも上記主開閉扉の上縁の回動軌跡の外側で上記開口を閉じる閉状態と前倒して上記開口を開く開状態とに変換可能な副開閉扉とに分割して構成し、上記主開閉扉の開状態から閉状態への変換のタイミングに対し上記副開閉扉の開状態から閉状態への変換のタイミングを所定時間遅らせることを特徴とする遊技機の可変入賞装置。
【請求項３】
遊技盤面に臨む配置で遊技球の落下流入を入賞の契機とする開口を備え、該開口を開閉扉により開閉可能とする遊技機の可変入賞装置において、上記開閉扉を、第１の駆動手段により上下に回動可能で起立して上記開口の大半部分を閉じる閉状態と前倒して遊技球を受け止め開口内部に案内する開状態とに変換可能な主開閉扉と、第２の駆動手段により上下に回動可能で起立して少なくとも上記主開閉扉の上縁の回動軌跡の外側で上記開口を閉じる閉状態と前倒して上記開口を開く開状態とに変換可能な副開閉扉とに分割して構成し、上記主開閉扉の閉状態から開状態への変換のタイミングに対し上記副開閉扉の閉状態から開状態への変換のタイミングを所定時間遅らせることを特徴とする遊技機の可変入賞装置。
【発明の詳細な説明】
【技術分野】
【０００１】
本発明は、遊技機の可変入賞装置に関し、特にパチンコ機における大入賞口等の、駆動手段により回動可能な開閉扉を備えた可変入賞装置に関する。
【背景技術】
【０００２】
遊技機の可変入賞装置は、例えばパチンコ機の大入賞口のように遊技盤面に臨む配置で遊技球の落下流入を入賞の契機とする開口を備え、該開口を駆動手段により回動可能な開閉扉により開閉可能としたものが一般的である。そして、その開口は概ね長方形で、開閉扉は、駆動手段により上下に回動可能で遊技球を受け入れないよう起立して開口を閉じる閉状態と、遊技球を受け入れやすいよう前倒し受け止めた遊技球を開口内部に案内する開状態とに変換可能である（例えば、特許文献１等参照。）。また、そうした可変入賞装置（変動入賞装置）において、開口に開閉扉を複数配設し、各開閉扉の開閉を選択的に制御する技術を開示したものも従来から知られている（例えば、特許文献２等参照。）。
【特許文献１】特開平５−２００１４４号公報
【特許文献２】特開平７−１９４７８９号公報
【発明の開示】
【発明が解決しようとする課題】
【０００３】
遊技機における可変入賞装置は一般的に上記のとおりで、遊技盤面に臨む開口を駆動手段により回動可能な開閉扉により開閉可能とするが、その場合、開閉扉の開状態から閉状態への変換時に開閉扉の上縁部と開口上縁部との間に遊技球が挟み込まれることがあり、また、開閉扉の閉状態から開状態への変換時に開閉扉の上縁部と遊技盤前方のガラス板との間に遊技球が挟み込まれることがある。
【０００４】
本発明は、遊技機の可変入賞装置において、開閉扉の開状態から閉状態への変換時あるいは閉状態から開状態への変換時の開閉扉による開口上縁やガラス板との間の遊技球の挟み込みを即座に解除可能とすることを目的とする。
【課題を解決するための手段】
【０００５】
請求項１に係る遊技機の可変入賞装置は、遊技盤面に臨む配置で遊技球の落下流入を入賞の契機とする開口を備え、該開口を開閉扉により開閉可能とする遊技機の可変入賞装置において、上記開閉扉を、第１の駆動手段により上下に回動可能で起立して上記開口の大半部分を閉じる閉状態と前倒して遊技球を受け止め開口内部に案内する開状態とに変換可能な主開閉扉と、第２の駆動手段により上下に回動可能で起立して少なくとも上記主開閉扉の上縁の回動軌跡の外側で上記開口を閉じる閉状態と前倒して上記開口を開く開状態とに変換可能な副開閉扉とに分割して構成し、上記主開閉扉と上記副開閉扉とで閉状態から開状態への変換のタイミングまたは開状態から閉状態への変換のタイミングをずらすことを特徴とする。
【０００６】
この可変入賞装置は、主開閉扉あるいは副開閉扉のいずれかが先に閉状態から開状態へまたは開状態から閉状態へ変換されるに際し、先に回動する主開閉扉の上縁部あるいは副開閉扉の上縁部と開口上縁との間あるいはガラス板との間に遊技球が挟み込まれても、その挟み込まれた遊技球は後に回動する主開閉扉あるいは副開閉扉で押されることにより、挟み込みが即座に解除可能である。また、この可変入賞装置は、開閉扉の閉状態から開状態への変換あるいは開状態から閉状態への変換に際し、開閉扉が主開閉扉と副開閉扉とに別れて別々に動くので、視覚的な面白味が増す。
【０００７】
また、請求項２に係る遊技機の可変入賞装置は、遊技盤面に臨む配置で遊技球の落下流入を入賞の契機とする開口を備え、該開口を開閉扉により開閉可能とする遊技機の可変入賞装置において、上記開閉扉を、第１の駆動手段により上下に回動可能で起立して上記開口の大半部分を閉じる閉状態と前倒して遊技球を受け止め開口内部に案内する開状態とに変換可能な主開閉扉と、第２の駆動手段により上下に回動可能で起立して少なくとも上記主開閉扉の上縁の回動軌跡の外側で上記開口を閉じる閉状態と前倒して上記開口を開く開状態とに変換可能な副開閉扉とに分割して構成し、上記主開閉扉の開状態から閉状態への変換のタイミングに対し上記副開閉扉の開状態から閉状態への変換のタイミングを所定時間遅らせることを特徴とする。
【０００８】
この可変入賞装置は、開閉扉が開状態から閉状態に変換される際に、先ず主開閉扉が回動し、所定時間遅れて副開閉扉が回動する。そして、主開閉扉の上縁部と開口上縁との間に遊技球が挟み込まれた場合、その挟み込まれた遊技球は後に回動する副開閉扉で押されることによって、挟み込みが即座に解除され、開口内部に押し込まれる。また、この可変入賞装置は、開閉扉が開状態から閉状態に変換される際に主開閉扉と副開閉扉とに別れて別々に動くので、視覚的な面白味が増す。
【０００９】
また、請求項３に係る遊技機の可変入賞装置は、遊技盤面に臨む配置で遊技球の落下流入を入賞の契機とする開口を備え、該開口を開閉扉により開閉可能とする遊技機の可変入賞装置において、上記開閉扉を、第１の駆動手段により上下に回動可能で起立して上記開口の大半部分を閉じる閉状態と前倒して遊技球を受け止め開口内部に案内する開状態とに変換可能な主開閉扉と、第２の駆動手段により上下に回動可能で起立して少なくとも上記主開閉扉の上縁の回動軌跡の外側で上記開口を閉じる閉状態と前倒して上記開口を開く開状態とに変換可能な副開閉扉とに分割して構成し、上記主開閉扉の閉状態から開状態への変換のタイミングに対し上記副開閉扉の閉状態から開状態への変換のタイミングを所定時間遅らせることを特徴とする。
【００１０】
この可変入賞装置は、開閉扉が閉状態から開状態に変換される際に、先ず主開閉扉が回動し、所定時間遅れて副開閉扉が回動する。そして、主開閉扉の上縁部とガラス板との間に遊技球が挟み込まれた場合、その挟み込まれた遊技球は後に回動する副開閉扉で押されることによって、挟み込みが即座に解除され、下方へ落下する。また、この可変入賞装置は、開閉扉が閉状態から開状態に変換される際に主開閉扉と副開閉扉とに別れて別々に動くので、視覚的な面白味が増す。
【発明の効果】
【００１１】
本発明の遊技機の可変入賞装置は、開閉扉の開状態から閉状態への変換時あるいは閉状態から開状態への変換時の開閉扉による開口上縁やガラス板との間の遊技球の挟み込みを即座に解除可能とすることができるとともに、開閉扉が主開閉扉と副開閉扉とに別れて別々に動くことにより視覚的な面白味が増す。
【発明を実施するための最良の形態】
【００１２】
図１〜６はパチンコ機に適用した本発明の実施の形態の一例を示している。図１は遊技盤の正面図、図２は可変入賞装置（大入賞口）の構成および動作を説明する斜視図、図３は可変入賞装置（大入賞口）の主開閉扉の構成および動作を説明する斜視図、図４は可変入賞装置（大入賞口）の副開閉扉の構成および動作を説明する斜視図、図５は可変入賞装置（大入賞口）の構成および開閉扉閉変換時の遊技球の挟み込み解除の動作を説明する縦断面図、図６は可変入賞装置（大入賞口）の構成および開閉扉開変換時の遊技球の挟み込み解除の動作を説明する縦断面図である。
【００１３】
図１において、１はパチンコ機の遊技盤で、遊技盤１の盤面２（遊技盤面）にレール３によって遊技領域４が画定され、その遊技領域４の略中央上寄りに図柄表示装置５が設けられている。そして、図柄表示装置５の下方には遊技球の流入が図柄変動の契機となる始動口６が設けられ、その更にその下方に可変入賞装置である大入賞口７が設けられている。
【００１４】
大入賞口７は、パネル１１の略中央に盤面２に臨む配置で遊技球の落下流入を入賞の契機とする横長略長方形の開口１２を備え、この開口１２を開閉可能とするよう開閉扉１３を備えている。
【００１５】
開閉扉１３は、図２に示すように別々に動作可能な主開閉扉１４と副開閉扉１５とに分割して構成されている。
【００１６】
主開閉扉１４は、起立したときに開口１２の左右両側端部と上端部を除く大半部分を閉じるよう横長長板状とされ、前面下部中央に錘１６が設けられ、また、図３（a）に示すように起立した状態の左右両側面の下端部にパネル１１側に支持されて回動支点となるピン１７ａ,１７ｂが設けられ、底面右端部に係止レバー１８が設けられている。そして、係止レバー１８の後方には、第１のソレノイド１９（第１の駆動手段）が配設され、また、係止レバー１８を押圧する方向にバネ付勢されるとともに第１のソレノイド１９により押圧解除方向に駆動可能とされた押圧レバー２０が配設されている。
【００１７】
主開閉扉１４は、第１のソレノイド１９の非通電時には係止レバー１８が押圧レバー２０に押されることにより、図３（ａ）に示すように起立して、図２（ｄ）に示すように開口１２の大半部分を閉じる閉状態となり（開状態から閉状態への変換）、第１のソレノイド１９の通電時には押圧が解除されて、錘１６の重みで回動し、図３（ｂ）に示すように前倒して、図２（ｂ）に示すように遊技球を受け止めて開口１２内部に案内する開状態になる（閉状態から開状態への変換）。
【００１８】
副開閉扉１５は、図４に示すように、略半開き状態の扇状でそれぞれ要部にパネル１１側に支持されて回動支点となるピン２１ａ,２１ｂが設けられ、起立した状態の前端面外周側に錘２２ａ,２２ｂが設けられた左右一対のガイド板２３a,２３ｂと、それら一対のガイド板２３ａ,２３ｂの錘２２ａ,２２ｂの根元部分を連結する一本の棒２４とから成るもので、図２に示すように、一対のガイド板２３ａ,２３ｂが開口１２の左右両側端部で主開閉扉１４との間に嵌まり込み、ピン２１ａ,２１ｂを支点として回動可能で、それらガイド板２３ａ,２３ｂの回動に連動して棒２４が主開閉扉１４の上縁の回動軌跡の外側を回動するよう構成されている。そして、図４に示すように、左側のガイド板２３ａのピン２１ａの近傍に係止レバー２５が設けられ、その係止レバー２５の後方には、第２のソレノイド２６（第２の駆動手段）が配設され、また、係止レバー２５を押圧する方向にバネ付勢されるとともに第２のソレノイド２６により押圧解除方向に駆動可能とされた押圧レバー２７が配設されている。
【００１９】
副開閉扉１５は、第２のソレノイド２６の非通電時には係止レバー２５が押圧レバー２７に押されることによって図４（ａ）に示すように起立して、図２（ａ）に示すように棒２４が主開閉扉１４の上縁の回動軌跡の外側で開口１２を閉じる閉状態となり（開状態から閉状態への変換）、第２のソレノイド２６の通電時には押圧が解除されて、錘２２a,２２ｂの重みで回動し、図４（ｂ）に示すように前倒して、図２（ｃ）に示すように開口１２を開く開状態になる（閉状態から開状態への変換）。この副開閉扉１５は、開状態において左右一対のガイド板２３ａ,２３ｂが主開閉扉１４に案内される遊技球のこぼれ落ちを防止する。
【００２０】
開閉扉１３は、このように別々に動作可能な主開閉扉１４と副開閉扉１５とで分割して構成され、主開閉扉１４は第１のソレノイド１９により上下に回動可能で開口１２の大半部分を閉じる閉状態と前倒して遊技球を受け止め開口１２内部に案内する開状態とに変換可能であり、副開閉扉１５は第２のソレノイド２６により上下に回動可能で棒２４が主開閉扉１４の上縁の回動軌跡の外側で開口１２を閉じる閉状態と前倒して開口１２を開く開状態とに変換可能であって、第１のソレノイド１９および第２のソレノイド２６の制御により、開閉扉１３全体として、図２の（ａ）に示す閉状態（主開閉扉１４と副開閉扉１５が共に閉状態）、（ｂ）に示す過渡開状態（主開閉扉１４は開状態、副開閉扉１５は閉状態）、（ｃ）に示す開状態（主開閉扉１４と副開閉扉１５が共に開状態）、（ｄ）に示す過渡閉状態（主開閉扉１４は閉状態、副開閉扉１５は開状態）の四つの状態が可能となっている。
【００２１】
このパチンコ機は、遊技球が始動口６に入賞すると、図柄表示装置５が図柄変動を開始して、所定時間後に確定した図柄を停止表示し、その停止表示した図柄が大当たり図柄であると、大当たりが発生して、大入賞口７の第１のソレノイド１９および第２のソレノイド２６が通電状態となり、それにより主開閉扉１４および副開閉扉１５が開作動して（閉状態から開状態への変換）、開口１２が所定時間開かれ、大入賞口７への遊技球の入賞が可能となる。
【００２２】
その際（閉状態から開状態への変換時）、第１のソレノイド１９および第２のソレノイド２６は、主開閉扉１４の閉状態から開状態への変換のタイミングに対し副開閉扉１５の閉状態から開状態への変換のタイミングが所定時間（例えば１秒）遅れ、開閉扉１３全体として、図２の（ａ）に示す閉状態（主開閉扉１４と副開閉扉１５が共に閉状態）から、（ｂ）に示す過渡開状態（主開閉扉１４は開状態、副開閉扉１５は閉状態）を経て、（ｃ）に示す開状態（主開閉扉１４と副開閉扉１５が共に開状態）に到るように制御される。
【００２３】
そして、大入賞口７の図示しない検出スイッチにより所定個数（例えば１０個）の入賞球が検出されると、第１のソレノイド１９および第２のソレノイド２６が非通電状態となり、それにより主開閉扉１４および副開閉扉１５が閉作動して（開状態から閉状態への変換）、開口１２が閉じられ、大当たり終了となる。
【００２４】
その際（開状態から閉状態への変換時）、第１のソレノイド１９および第２のソレノイド２６は、主開閉扉１４の開状態から閉状態への変換のタイミングに対し副開閉扉１５の開状態から閉状態への変換のタイミングが所定時間（例えば１秒）遅れ、開閉扉１３全体として、図２の（ｃ）に示す開状態（主開閉扉１４と副開閉扉１５が共に開状態）から、（ｄ）に示す過渡閉状態（主開閉扉１４は閉状態、副開閉扉１５は開状態）を経て、（ａ）に示す閉状態（主開閉扉１４と副開閉扉１５が共に閉状態）に到るように制御される。
【００２５】
このように開閉扉１３を主開閉扉１４と副開閉扉１５とで分割して構成し、閉状態から開状態への変換のタイミングおよび開状態から閉状態への変換のタイミングを主開閉扉１４と副開閉扉１５とでずらすことで、次に説明するように開閉扉１３の開状態から閉状態への変換時の開閉扉１３による開口１２の上縁との間の遊技球の挟み込みの問題が解決し、閉状態から開状態への変換時のガラス板との間の挟み込みの問題も解決する。
【００２６】
まず、開状態から閉状態への変換時には、図５の（ａ）に示すように主開閉扉１４と副開閉扉１５とが共に開いていて遊技球Ｐが入賞可能な状態（図２の（ｃ）の状態）から、先に主開閉扉１４だけが閉じようとするとき（図２の（ｄ）の状態への移行時）に、図５の（ｂ）に示すように、主開閉扉１４の上縁と開口１２の上縁との間に遊技球が挟み込まれる場合があるが、この場合、主開閉扉１４の閉状態変換から所定時間（例えば１秒）遅れて副開閉扉１５が閉状態に変換されるときに、図５の（ｃ）に示すように、挟み込まれていた遊技球Ｐが副開閉扉１５の棒２４によって押され、開口１２内部に押し込まれる。
【００２７】
また、閉状態から開状態への変換時には、図６の（ａ）に示すように主開閉扉１４と副開閉扉１５とが共に閉じている通常時の状態（図２の（ａ）の状態）から、大当たりが発生して、先ず主開閉扉１４だけが開こうとするとき（図２の（ｂ）の状態への移行時）に、図６の（ｂ）に示すように、主開閉扉１４の上縁とガラス板３０との間に遊技球Ｐが挟み込まれてしまう場合があるが、この場合、主開閉扉１４の開状態変換から所定時間（例えば１秒）遅れて副開閉扉１５が開状態に変換されるときに、図６の（ｃ）に示すように、挟み込まれていた遊技球Ｐが副開閉扉１５の棒２４によって押され、下方に落とされる。
【００２８】
こうして開閉扉１３の開状態から閉状態への変換時、閉状態から開状態への変換時のいずれにおいても開閉扉１３による遊技球の挟み込みを即座に解除することができる。また、開閉扉１３が主開閉扉１４と副開閉扉１５とに別れて別々に動くことにより視覚的な面白味が増す。
【００２９】
本発明は、他に、例えば図７に示す実施の形態も可能である。図７は可変入賞装置（大入賞口）の構成および動作を説明する斜視図である。この実施の形態は、図１〜６に示す先の実施の形態と同様にパチンコ機の例であって、遊技盤面の構成は基本的に先の実施の形態と同様であり、可変入賞装置（大入賞口）の構成も、開閉扉が別々に動作可能な主開閉扉と副開閉扉とに分割して構成されている点において基本的には先の実施の形態と同様である。
【００３０】
図７に示すこの実施の形態の大入賞口２０７は、パネル１１の略中央に盤面に臨む配置で遊技球の落下流入を入賞の契機とする横長略長方形の開口１２を備え、この開口１２を、別々に動作可能な主開閉扉２１４と副開閉扉２１５とに分割して構成された開閉扉２１３で開閉するよう構成されている。
【００３１】
主開閉扉２１４は、起立したときに開口１２の左右両側端部と上端部を除く大半部分を閉じるよう横長長板状とされ、前面下部中央に錘１６が設けられ、また、図示されていないが、先の実施の形態の図３（ａ）と同様に起立した状態の左右両側面の下端部に、後述の副開閉扉２１５の案内板２２３a,２２３ｂの側面下端部に支持されて回動支点となるピンが設けられ、底面右端部に係止レバーが設けられ、係止レバーの後方に第１のソレノイド（第１の駆動手段）が配設され、係止レバーを押圧する方向にバネ付勢されるとともに第１のソレノイドにより押圧解除方向に駆動可能とされた押圧レバーが配設されている。そして、主開閉扉２１４は、先の実施の形態と同様の制御により、開状態から閉状態への変換、閉状態から開状態への変換が可能である。
【００３２】
そして、副開閉扉２１５は、主開閉扉２１４に対しその左右両側に面一に配置可能な長板状で、図示しないが、それぞれ前面下部中央に錘が設けられ、起立した状態の側面下端部にパネル１１側に支持されて回動支点となるピンが設けられた左右一対の案内板２２３a,２２３ｂと、それら一対の案内板２２３ａ,２２３ｂの上端部を連結する一本の棒２４とから成り、図７に示すように、一対の案内板２２３ａ,２２３ｂが開口１２の左右両側端部で主開閉扉２１４との間に嵌まり込み、ピンを支点として回動可能で、それら案内板２２３ａ,２２３ｂの回動に連動して棒２４が主開閉扉２１４の上縁の回動軌跡の外側を回動するよう構成されている。そして、図示されていないが、図４に示す先の実施の形態のものと同様、左側の案内板２２３ａのピンの近傍に係止レバーが設けられ、その係止レバーの後方には、第２のソレノイド（第２の駆動手段）が配設され、また、係止レバーを押圧する方向にバネ付勢されるとともに第２のソレノイドにより押圧解除方向に駆動可能とされた押圧レバーが配設されている。そして、副開閉扉２１５は先の実施の形態と同様の制御により、開状態から閉状態への変換、閉状態から開状態への変換が可能である。
【００３３】
開閉扉２１３は、このように別々に動作可能な主開閉扉２１４と副開閉扉２１５とで分割して構成され、主開閉扉２１４および副開閉扉２１５はそれぞれ開状態から閉状態への変換、閉状態から開状態への変換が可能であって、開閉扉２１３全体として、先の実施の形態と同様に、閉状態（主開閉扉２１４と副開閉扉２１５が共に閉状態）、過渡開状態（主開閉扉２１４は開状態、副開閉扉２１５は閉状態）、開状態（主開閉扉２１４と副開閉扉２１５が共に開状態）、過渡閉状態（主開閉扉２１４は閉状態、副開閉扉２１５は開状態）の四つの状態が可能となっている。図７の（ａ）は、主開閉扉２１４と副開閉扉２１５が共に開いた状態（上記「開状態」）を示し、（ｂ）は主開閉扉２１４が閉じ副開閉扉２１５が開いた状態（上記「過渡閉状態」）を示す。
【００３４】
このパチンコ機は、先の実施の形態と同様に、大当たりが発生すると、大入賞口２０７の第１のソレノイドおよび第２のソレノイドが通電状態となり、それにより主開閉扉２１４および副開閉扉２１５が開作動して（閉状態から開状態への変換）、開口１２が所定時間開かれ、大入賞口２０７への遊技球の入賞が可能となる。そして、その際（閉状態から開状態への変換時）の第１のソレノイドおよび第２のソレノイドの制御、所定個数（例えば１０個）の入賞球が検出されたとき（開状態から閉状態への変換時）の第１のソレノイドおよび第２のソレノイドの制御は先の実施の形態と同様である。
【００３５】
この実施の形態の場合も、開閉扉２１３を主開閉扉２１４と副開閉扉２１５とで分割して構成し、閉状態から開状態への変換のタイミングおよび開状態から閉状態への変換のタイミングを主開閉扉２１４と副開閉扉２１５とでずらすことにより、先の実施の形態と同様に、開閉扉２１３の開状態から閉状態への変換時の開閉扉２１３による開口１２の上縁との間の遊技球の挟み込みの問題が解決し、閉状態から開状態への変換時のガラス板との間の挟み込みの問題も解決する。図５を参照して説明した先の実施の形態の閉状態から開状態への変換時の動作は、この実施の形態の場合も同様であり、図６を参照して説明した先の実施の形態の開状態から閉状態への変換時の動作は、この実施の形態の場合も同様である。こうして、開閉扉２１３の開状態から閉状態への変換時、閉状態から開状態への変換時のいずれにおいても開閉扉２１３による遊技球の挟み込みを即座に解除することができる。また、開閉扉２１３が主開閉扉２１４と副開閉扉２１５とに別れて別々に動くことにより視覚的な面白味が増す。
【００３６】
以上、実施の形態として図に示す例を説明したが、本発明はこれに限定されるものではなく、発明の技術思想の範囲で適宜態様を変更して実施できるものである。
【００３７】
上記実施の形態は、主開閉扉の開状態から閉状態への変換のタイミングに対し副開閉扉の開状態から閉状態への変換のタイミングを所定時間遅らせるとともに、主開閉扉の閉状態から開状態への変換のタイミングに対し副開閉扉の閉状態から開状態への変換のタイミングを所定時間遅らせるものであるが、他の実施の形態として、開状態から閉状態への変換時の挟み込みの解除に主眼を置く場合には、主開閉扉の開状態から閉状態への変換のタイミングに対し副開閉扉の開状態から閉状態への変換のタイミングを所定時間遅らせるだけで、閉状態から開状態への変換は主開閉扉と副開閉扉とで同じタイミングとしてもよく、また、閉状態から開状態への変換時の挟み込みの解除に主眼を置く場合には、主開閉扉の閉状態から開状態への変換のタイミングに対し副開閉扉の閉状態から開状態への変換のタイミングを所定時間遅らせだけで、開状態から閉状態への変換は主開閉扉と副開閉扉とで同じタイミングとしてもよい。
【００３８】
また、他の実施の形態として、開状態から閉状態への変換時に逆に副開閉扉の変換のタイミングに対し主開閉扉の変換のタイミングを所定時間遅らせ、副開閉扉と開口上縁との間の遊技球の挟み込みを主開閉扉によって解除するよう構成したり、閉状態から開状態への変換時に副開閉扉の変換のタイミングに対して主開閉扉の変換のタイミングを所定時間遅らせ、副開閉扉とガラス板との間の挟み込みを主副開閉扉によって解除するよう構成することも可能である。
【００３９】
本発明はパチンコ機に限定されるものではなく、スロットマシン等の他の遊技機にも適用できることは勿論である。
【図面の簡単な説明】
【００４０】
【図１】実施の形態の一例の遊技盤の正面図である。
【図２】実施の形態の一例の可変入賞装置（大入賞口）の構成および動作を説明する斜視図（ａ），（ｂ），（ｃ），（ｄ）である。
【図３】実施の形態の一例の可変入賞装置（大入賞口）の主開閉扉の構成および動作を説明する斜視図（ａ），（ｂ）である。
【図４】実施の形態の一例の可変入賞装置（大入賞口）の副開閉扉の構成および動作を説明する斜視図（ａ），（ｂ）である。
【図５】実施の形態の一例の可変入賞装置（大入賞口）の構成および開閉扉閉変換時の遊技球の挟み込み解除の動作を説明する縦断面図（ａ），（ｂ），（ｃ）である。
【図６】実施の形態の一例の可変入賞装置（大入賞口）の構成および開閉扉開変換時の遊技球の挟み込み解除の動作を説明する縦断面図（ａ），（ｂ），（ｃ）である。
【図７】実施の形態の他の例の可変入賞装置（大入賞口）の構成および動作を説明する斜視図（ａ），（ｂ）である。
【符号の説明】
【００４１】
１  遊技盤
２  盤面（遊技盤面）
７、２０７  大入賞口（可変入賞装置）
１２  開口
１３  開閉扉
１４、２１４  主開閉扉
１５、２１５  副開閉扉
１６  錘
１７a、１７ｂ  ピン
１８  係止レバー
１９  第１のソレノイド（第１の駆動手段）
２０  押圧レバー
２１ａ、２１ｂ  ピン
２２ａ、２２ｂ  錘
２３ａ、２３ｂ  ガイド板
２４  棒
２５  係止レバー
２６  第２のソレノイド（第２の駆動手段）
２７  押圧レバー
２２３a、２２３ｂ  案内板
【図１】
2006020857.tif 000003
【図２】
2006020857.tif 000004
【図３】
2006020857.tif 000005
【図４】
2006020857.tif 000006
【図５】
2006020857.tif 000007
【図６】
2006020857.tif 000008
【図７】
2006020857.tif 000009